(57)【特許請求の範囲】
【請求項１】
板状のフレームに、遊技島の補給経路と接続するコネクタと、回動可能の払出し部材と、遊技機と係合して回動可能の作動レバーとを取り付けた補給ユニットを、遊技機を遊技島に固定するための台枠固定部に取り付け、遊技機は、台枠固定部から開閉可能に取り付けられた遊技島において、
前記払出し部材は樋状部を有してその底面をコネクタの先端開口部と対向させ、回動に応じて前記コネクタの先端開口部と前記底面との間隙が変化するように設定され、
前記作動レバーは前記払出し部材と係合して、作動レバーの回動に応じて前記払出し部材の回動を規制するように設定されて、
遊技機が開かれているときは、前記コネクタの先端開口部と前記底面との間隙が遊技媒体のサイズよりも小さく、前記コネクタから払出し部材への遊技媒体の供給を遮断し、
遊技機が閉じられると前記作動レバーが遊技機に押されて回動することにより、前記コネクタの先端開口部と前記底面との間隙が遊技媒体のサイズよりも大きくなるまで前記払出し部材を回動させ、前記コネクタから払出し部材を経て遊技機へ遊技媒体を供給するように構成したことを特徴とする遊技媒体補給装置。
【請求項２】
前記コネクタは、先端を下向きにしてフレームの縦壁にそって取り付けられ、
前記払出し部材は、前記縦壁に沿って上下面内で回動可能に配置され、
前記作動レバーは、作動レバーをフレームの縦壁に沿わせた状態で、その上面が前記払出し部材の下面と整合する高さで、水平面内で回動可能に配置されるとともに、リターンスプリングでフレームの縦壁に沿う位置へ付勢され、回動先端部に下方に延びる伸張部を備え、
遊技機にはその裏面にタンクが備えられて、
遊技機が開かれているときは、作動レバーがフレームの縦壁に沿う位置となって、前記払出し部材を水平位置とし、
遊技機が閉じられるときは、作動レバーが前記タンクに押されて回動し、前記払出し部材を下方へ回動させて前記コネクタの先端開口部と前記底面との間隙を遊技媒体のサイズよりも大きくさせることを特徴とする請求項１記載の遊技媒体補給装置。
【発明の詳細な説明】
【技術分野】
【０００１】
本発明は、遊技施設で使用されるパチンコ球やメダルなどの遊技媒体の補給装置に関する。
【背景技術】
【０００２】
遊技施設として例えばパチンコ台を並べた遊技島においては、パチンコ機の裏面に設けられた賞品球タンクに遊技島の補給経路から常時賞品球が供給されるようになっている。
ここで、点検、調整のためパチンコ機を開いたときには、賞品球タンクも賞品球の供給を受ける所定位置から移動してしまうため、補給を停止しないと賞品球がフロアに落下し続けてしまうことになる。
この対策として、例えば実公平７−２２３０３号公報には、パチンコ機の開閉に連動して、賞品球の供給停止を制御するようにした補給装置が開示されている。
【０００３】
この装置では、図９に示すように、台枠側に回動補給部材６０を備える。回動補給部材６０は、軸パイプ６１と、軸パイプから二又状に延びた補給筒６２と作動レバー６３とからなり、補給筒６２が軸パイプ６１を通して図中紙面奥側に軸パイプ６１と同軸に設けられた整列通路と連通可能となっている。
軸パイプ６１の整列通路側端には係合カム６５が設けられ、固定側には係合カム６５と係合して回動補給部材６０の回動に応じて揺動する止め部材５５が設けられており、止め部材５５はストッパピン５６を備えている。
パチンコ機が閉じられているときは、（ａ）に示すように、賞品球タンク７０が作動レバー６３を押して、回動補給部材６０はその補給筒６２が賞品球タンク７０内へ下向きとなる。この状態でストッパピン５６は整列通路から軸パイプ６１にわたる賞品球の通路から退避している。
【０００４】
一方、パチンコ機が開かれると、（ｂ）に示すように、賞品球タンク７０が作動レバー６３から離間する方向に移動し、図示しないスプリングで回動補給部材６０はその補給筒６２が持ち上がる方向に回動する。すると、係合カム６５が止め部材５５を回動させてストッパピン５６が整列通路から軸パイプ６１にわたる賞品球の通路に侵入するので、整列通路から回動補給部材への賞品球の供給が断たれる。
これにより、パチンコ機を開いたときには、賞品球がこぼれてフロアに落下するのが防止される。
【特許文献１】実公平７−２２３０３号公報
【発明の開示】
【発明が解決しようとする課題】
【０００５】
しかしながら、上記従来の補給装置では、パチンコ機を開いたときに賞品球の供給を停止するための構成として、整列通路５０と回動補給部材６０の接続部近傍において、ストッパピン５６を備えて回動可能とした止め部材５５や係合カム６５を設ける必要があるから、構造が複雑になって故障が発生しやすいとともに、コストも高いものとなるという問題がある。
【０００６】
本発明は、このような従来の問題点に鑑み、構造が簡単で低コストで実現できる遊技媒体補給装置を提供することを目的とする。
【課題を解決するための手段】
【０００７】
本発明は、遊技島の補給経路と接続するコネクタと回動可能の払出し部材と遊技機と係合して回動可能の作動レバーとをから構成された補給ユニットを遊技機を遊技島に固定するための台枠固定部に取り付け、払出し部材は樋部を有してその底面をコネクタの先端開口部と対向させ、回動に応じてコネクタの先端開口部と底面との間隙が変化するように設定され、作動レバーは払出し部材と係合して、作動レバーの回動に応じて払出し部材の回動を規制するように設定されて、遊技機が開かれているときは、コネクタの先端開口部と底面との間隙が遊技媒体のサイズよりも小さく、コネクタから払出し部材への遊技媒体の供給を遮断し、遊技機が閉じられると作動レバーが遊技機に押されて回動することにより、コネクタの先端開口部と底面との間隙が遊技媒体のサイズよりも大きくなるまで払出し部材を回動させ、コネクタから払出し部材を経て遊技機へ遊技媒体を供給するものとした。
【発明の効果】
【０００８】
補給経路と接続したコネクタと払出し部材との間の連通、遮断が、遊技機の開閉に応じた払出し部材の樋部底面とコネクタの先端開口部間の間隙によって決まり、払出し部材の回動姿勢だけで切り替えられるから、他の複雑な構造を必要としない。したがって故障のおそれなく、低コストで実現される。
【発明を実施するための最良の形態】
【０００９】
以下、本発明の実施の形態について詳細に説明する。
図１はパチンコ台に適用した実施の形態の側面図である。
補給装置は、補給ユニット１０を遊技島におけるパチンコ機１を開閉可能に支持する台枠６と台枠固定部５とからなる固定側に取り付けて構成される。
図２はパチンコ機側からみた補給ユニット１０の正面図、図３は背面図、図４は図３におけるＡ−Ａ矢視図である。図１〜図４はパチンコ機が開かれている状態を示している。
補給ユニット１０は、板材からなるフレーム１１に、遊技島の補給経路７と接続するコネクタ２０と、回動可能の払出し部材３０と、払出し部材を回動させるための作動レバー４０とが取り付けられている。
【００１０】
フレーム１１は縦壁１２を主部とし、補給ユニット１０はこの縦壁１２を台枠固定部５の裏面に取り付けられている。
また、フレーム１１は図４の背面図において縦壁１２の右端の下端を水平方向に折り曲げて、後述するレバー支持部１３としている。
コネクタ２０はエルボウ形の成形パイプで、先端開口部２１（図５参照）をフレーム１１の縦壁１２にそって下向きにして取付金具１７で固定されている。取付金具１７との位置決めのため、コネクタ２０の外周壁には軸方向上下に鍔２２、２３が設けられ、取付金１７具を挟む配置となっている。コネクタ２０はその先端から上側の鍔２２近傍まで軸方向にスリット２５が形成され、先端部を撓ませることにより取付金具１７に差し込み可能となっている。
コネクタ２０は他端に大径部２６を有して、補給経路７との接続部となっている。
【００１１】
払出し部材３０は、コネクタ２０の先端とレバー支持部１３との中間位置でフレーム１１の縦壁１２に設けられた支持シャフト１８に一端を支持されている。払出し部材３０はコネクタ２０の先端に対応する所定範囲の開口３２を有する樋状部３１（図５参照）をなし、樋状部３１より先端側がパイプ部３４となっている。パイプ部先端の開口３５は、正面図において手前側へ向いている。
払出し部材３０は支持シャフト１８回りに回動可能で、支持シャフト１８に支持された端部の底面は切り欠かれて傾斜面３７となっている。
【００１２】
作動レバー４０は、水平面内で回動可能に、レバー支持部１３に軸ピン１４で支持された板状である。
軸ピン１４周りにはリターンスプリング１５が設けられて、作動レバー４０をフレーム１１の縦壁１２に沿わせた状態へ付勢しており、レバー支持部１３の高さは、作動レバー４０を縦壁１２に沿わせた状態で、作動レバー４０の上面が払出し部材３０の下面と整合するように設定されている。
作動レバー４０は、縦壁１２に対して角度を持った位置から縦壁１２に沿う位置へ回動する際に払出し部材３０と対向する側の辺を弧状部４２として反らせ、払出し部材３０の下に滑らかに入り込めるように形成されている。
リターンスプリング１５は、作動レバー４０に他の外力が作用しない状態において、コネクタ２０から落下する賞品球の付勢力に抗して、払出し部材３０を持ち上げながら作動レバー４０を回動可能なように設定されている。
【００１３】
作動レバー４０は弧状部４２の辺の回動先端部に下方に延びる伸張部４５を有し、反対側の辺は全長にわたって上向きに折り曲げたフランジ４４を有している。
パチンコ機１が開かれた状態では、作動レバー４０はそのフランジ４４を払出し部材３０の側面に当接させて、フレーム１１の縦壁１２に沿った状態で、払出し部材３０を水平に支持している。
この状態で、図５の（ａ）に示すように、コネクタ２０の先端は払出し部材３０の開口３２から樋状部３１内に侵入している。そして、コネクタ２０の先端と樋状部３１の底面３３との間隙Ｄはパチンコ球（賞品球）Ｂの径よりも小さくなるように設定されている。したがって、賞品球はこの間隙を通過できないから、コネクタ２０から払出し部材３０へ供給されない。
【００１４】
以上のように構成された補給装置は、パチンコ機１が図１、図２に示した開かれた状態から閉じられると、つぎのように作動する。
図６は背面図、図７は側面図、図８は上面図である。
パチンコ機１が閉じられると、パチンコ機の本体２の裏面に設けられた賞品球タンク３が伸張部４５を押して作動レバー４０を回動させる。なお、伸張部４５は、作動レバー４０の回動により賞品球タンク３の当接面に対する角度が変化しても滑らかに面で当接するように、断面が賞品球タンク３側へ向かって凸の弧状となっている。
作動レバー４０は回動しながら払出し部材３０の下から外れていくので、それまでコネクタ２０から落下を遮断されていた賞品球により下方へ付勢されていた払出し部材３０は、作動レバー４０による支持を失い、支持シャフト１８を軸にして水平状態から回動し、先端が賞品球タンク３内へ向かう。
【００１５】
払出し部材３０が回動して傾斜した状態になると、図５の（ｂ）に示すように、コネクタ２０の先端開口部２１と樋状部３１の底面３３との間隙が拡大（Ｄ’）して、パチンコ球Ｂの径よりも大きくなる。これにより、コネクタ２０から払出し部材３０へ賞品球が供給され、払出し部材３０の先端開口３５から賞品球タンク３内へ払い出される。なお、払出し部材３０の開口３５はパチンコ機１の本体２側に向いているから、払出し部材３０から勢い良く払い出されても賞品球が跳ねて賞品球タンク３からこぼれることはない。
【００１６】
なお、パチンコ機１は図７に示すように台枠６に当接してその閉じ位置が規定される。このとき、賞品球タンク３に伸張部４５を押されて回動した作動レバー４０が払出し部材３０をまったく支持しない状態となっても、払出し部材３０の所定の回動角度でその傾斜面３７がレバー支持部１３の側縁に当接するので、払出し部材３０の回動角度は一定範囲に規制される。
【００１７】
実施の形態は以上のように構成され、台枠固定部５にコネクタ２０と、払出し部材３０と、作動レバー４０とを備え、払出し部材３０は樋状部３１を有してその底面３３をコネクタ２０の先端開口部２１と対向させ、回動に応じてコネクタ２０の先端開口部２１と底面３３との間隙Ｄが変化するように設定され、作動レバー４０は払出し部材３０と係合して、作動レバー４０の回動に応じて払出し部材３０の回動を規制するように設定されて、パチンコ機１が開かれているときは、コネクタ２０の先端と底面３３との間隙がパチンコ球のサイズよりも小さく、コネクタ２０から払出し部材３０への賞品球の供給を遮断し、パチンコ機１が閉じられると作動レバー４０がパチンコ機の賞品球タンク３に押されて回動することにより、コネクタ２０の先端開口部２１と底面３３との間隙がパチンコ球のサイズよりも大きくなるまで払出し部材３０を回動させ、コネクタ２０から払出し部材３０を経てパチンコ機１へ賞品球を供給するものとした。
これにより、補給経路と接続したコネクタ２０と払出し部材３０との間の連通、遮断が、パチンコ機１の開閉に応じた払出し部材３０の樋状部の底面３３とコネクタの先端開口部２１間の間隙によって決まり、払出し部材３０の回動姿勢だけで切り替えられるから、他の複雑な構造を必要とせず、したがって故障のおそれなく、低コストで実現されるという効果を有する。
【００１８】
また、コネクタ２０、払出し部材３０および作動レバー４０は、フレーム１１に取り付けられて補給ユニット１０に構成されているから、設置もフレーム１１を台枠固定部５に取り付けるだけで簡単に済む。
【００１９】
なお、実施の形態はパチンコ台におけるパチンコ球の補給例について説明したが、本発明はこれに限定されず、払出し部材の樋部底面とコネクタの開口間の間隙を遊技媒体の径や厚みに応じた設定とすることにより、種々の遊技島に適用することができる。
【図面の簡単な説明】
【００２０】
【図１】実施の形態を示す側面図である。
【図２】実施の形態の正面図である。
【図３】実施の形態の背面図である。
【図４】図３におけるＡ−Ａ矢視図である。
【図５】コネクタと払出し部材の位置関係の変化を示す図である。
【図６】パチンコ機を閉じたときの状態を示す背面図である。
【図７】パチンコ機を閉じたときの状態を示す側面図である。
【図８】パチンコ機を閉じたときの状態を示す図４に対応する図である。
【図９】従来例を示す図である。
【符号の説明】
【００２１】
１      パチンコ機
２      本体
３      賞品球タンク
５      台枠固定部
６      台枠
７      補給経路
１０    補給ユニット
１１    フレーム
１２    縦壁
１３    レバー支持部
１４    軸ピン
１５    リターンスプリング
１７    取付金具
１８    支持シャフト
２０    コネクタ
２１    先端開口部
２２、２３    鍔
２５    スリット
２６    大径部
３０    払出し部材
３１    樋状部
３２    開口
３３    底面
３４    パイプ部
３５    開口
３７    傾斜面
４０    作動レバー
４２    弧状部
４４    フランジ
４５    伸張部
Ｄ      間隙
【図１】
0004815182.tif 000002
【図２】
0004815182.tif 000003
【図３】
0004815182.tif 000004
【図４】
0004815182.tif 000005
【図５】
0004815182.tif 000006
【図６】
0004815182.tif 000007
【図７】
0004815182.tif 000008
【図８】
0004815182.tif 000009
【図９】
0004815182.tif 000010